(57)【要約】  本発明は、マルチメディア情報提示方法および端末を提供する。本方法は、画面オフ状態で端末の現在の第1の環境特性情報を取得するステップと、第1の環境特性情報および第1のマッピング関係に従って、第1の環境特性情報に対応する第1のマルチメディア情報を決定するステップと、第1のマルチメディア情報をユーザに提示するステップと、を含む。本発明の実施形態で提供する方法によれば、人間コンピュータ間インタラクションインテリジェンスが改善される。
2018504707.tif 000002
【特許請求の範囲】
【請求項１】
マルチメディア情報提示方法であって、
画面オフ状態で端末の現在の第1の環境特性情報を取得するステップと、
前記第1の環境特性情報、および環境特性情報とマルチメディア情報との間の事前に設定された第1のマッピング関係に従って、前記第1の環境特性情報に対応する第1のマルチメディア情報を決定するステップと、
前記第1の環境特性情報に対応する前記第1のマルチメディア情報をユーザに提示するステップと、
を含む、方法。
【請求項２】
前記第1の環境特性情報、および環境特性情報とマルチメディア情報との間の事前に設定された第1のマッピング関係に従って、前記第1の環境特性情報に対応する第1のマルチメディア情報を決定する前記ステップの前に、
前記第1の環境特性情報は、前記端末によって事前に設定されたウェイクアップ命令セット内の第2の環境特性情報と一致すると判定するステップであって、前記ウェイクアップ命令セットは、少なくとも1つの第2の環境特性情報を含み、前記第2の環境特性情報は、前記端末の表示画面回路をトリガして作動させることができる情報である、前記ステップ、
をさらに含み、
前記第1の環境特性情報に対応する前記第1のマルチメディア情報をユーザに提示する前記ステップは、
前記表示画面回路に、表示画面を用いて、前記第1の環境特性情報に対応する前記第1のマルチメディア情報を前記ユーザに提示するよう命令するステップ、
を特に含む、請求項1に記載の方法。
【請求項３】
前記第1の環境特性情報に対応する前記第1のマルチメディア情報をユーザに提示する前記ステップは、
スピーカを用いて、前記ユーザのために前記第1の環境特性情報に対応する前記第1のマルチメディア情報を再生するステップ、
を特に含む、請求項1に記載の方法。
【請求項４】
前記第1の環境特性情報は、前記端末が位置している環境の音声情報を含み、前記第1のマッピング関係は、異なる音声情報とマルチメディア情報との間のマッピング関係を含む、請求項1から3のいずれか一項に記載の方法。
【請求項５】
前記第1の環境特性情報は、前記端末が位置している環境の温度情報を含み、前記第1のマッピング関係は、異なる温度情報とマルチメディア情報との間のマッピング関係を含む、請求項1から3のいずれか一項に記載の方法。
【請求項６】
前記第1の環境特性情報は、前記端末が位置している環境の光強度を含み、前記第1のマッピング関係は、異なる光強度とマルチメディア情報との間のマッピング関係を含む、請求項1から3のいずれか一項に記載の方法。
【請求項７】
前記第1の環境特性情報は、前記端末の回転角速度であり、前記第1のマッピング関係は、異なる回転角速度とマルチメディア情報との間のマッピング関係を含む、請求項1から3のいずれか一項に記載の方法。
【請求項８】
前記第1の環境特性情報は、前記端末の移動速度または移動加速度であり、前記第1のマッピング関係は、異なる速度とマルチメディア情報との間のマッピング関係または異なる加速度とマルチメディア情報との間のマッピング関係を含む、請求項1から3のいずれか一項に記載の方法。
【請求項９】
前記第1の環境特性情報は、前記端末から前記ユーザまでの距離を含み、前記第1のマッピング関係は、前記端末から前記ユーザまでの異なる距離とマルチメディア情報との間のマッピング関係を含み、前記第1の環境特性情報、および環境特性情報とマルチメディア情報との間の事前に設定された第1のマッピング関係に従って、前記第1の環境特性情報に対応する第1のメディア情報を決定する前記ステップの前に、前記方法は、
前記端末から前記ユーザまでの第1の距離が事前に設定された閾値未満であると判定するステップ、
をさらに含み、
前記第1の環境特性情報に対応する前記第1のマルチメディア情報をユーザに提示する前記ステップは、
表示画面回路および／またはスピーカ回路に、前記第1のマルチメディア情報を前記ユーザに提示するよう命令するステップ、
を特に含む、請求項1に記載の方法。
【請求項１０】
画面オフ状態で端末の現在の第1の環境特性情報を取得するように構成された、収集モジュールと、
前記端末のものであり、前記収集モジュールによって前記画面オフ状態で取得された前記現在の第1の環境特性情報、前記第1の環境特性情報、および環境特性情報とマルチメディア情報との間の事前に設定された第1のマッピング関係に従って、前記第1の環境特性情報に対応する第1のマルチメディア情報を決定するように構成された、処理モジュールと、
ユーザに、前記処理モジュールによって決定された、前記第1の環境特性情報に対応している前記第1のマルチメディア情報を提示するように構成された、提示モジュールと、
を含む、端末。
【請求項１１】
前記提示モジュールは、表示画面回路であり、前記処理モジュールは、前記第1の環境特性情報、および環境特性情報とマルチメディア情報との間の前記事前に設定された第1のマッピング関係に従って、前記第1の環境特性情報に対応する前記第1のメディア情報を決定する前に、前記第1の環境特性情報は、前記端末によって事前に設定されたウェイクアップ命令セット内の第2の環境特性情報と一致すると判定するようにさらに構成されており、前記ウェイクアップ命令セットは、少なくとも1つの第2の環境特性情報を含み、前記第2の環境特性情報は、前記端末の前記表示画面回路をトリガして作動させることができる情報であり、
前記処理モジュールは、前記第1の環境特性情報、および環境特性情報とマルチメディア情報との間の前記事前に設定された第1のマッピング関係に従って、前記第1の環境特性情報に対応する前記第1のマルチメディア情報を決定した後で、前記表示画面回路に、表示画面を用いて、前記第1の環境特性情報に対応する前記第1のマルチメディア情報を前記ユーザに提示するよう命令する、ように特に構成されている、請求項10に記載の端末。
【請求項１２】
前記提示モジュールはスピーカ回路であり、前記処理モジュールは、前記スピーカ回路に、スピーカを用いて、前記ユーザのために前記第1の環境特性情報に対応する前記第1のマルチメディア情報を再生するよう命令するように特に構成されている、請求項10に記載の端末。
【請求項１３】
前記第1の環境特性情報は、前記端末が位置している環境の音声情報を含み、前記第1のマッピング関係は、異なる音声情報とマルチメディア情報との間のマッピング関係を含む、請求項10から12のいずれか一項に記載の端末。
【請求項１４】
前記第1の環境特性情報は、前記端末が位置している環境の温度情報を含み、前記第1のマッピング関係は、異なる温度情報とマルチメディア情報との間のマッピング関係を含む、請求項10から12のいずれか一項に記載の端末。
【請求項１５】
前記第1の環境特性情報は、前記端末が位置している環境の光強度を含み、前記第1のマッピング関係は、異なる光強度とマルチメディア情報との間のマッピング関係を含む、請求項10から12のいずれか一項に記載の端末。
【請求項１６】
前記第1の環境特性情報は、前記端末の回転角速度であり、前記第1のマッピング関係は、異なる回転角速度とマルチメディア情報との間のマッピング関係を含む、請求項10から12のいずれか一項に記載の端末。
【請求項１７】
前記第1の環境特性情報は、前記端末の移動速度または移動加速度であり、前記第1のマッピング関係は、異なる速度とマルチメディア情報との間のマッピング関係または異なる加速度とマルチメディア情報との間のマッピング関係を含む、請求項10から12のいずれか一項に記載の端末。
【請求項１８】
前記提示モジュールは、表示画面回路および／またはスピーカ回路であり、前記第1の環境特性情報は、前記端末から前記ユーザまでの距離を含み、前記第1のマッピング関係は、前記端末から前記ユーザまでの異なる距離とマルチメディア情報との間のマッピング関係を含み、前記処理モジュールは、前記第1の環境特性情報、および環境特性情報とマルチメディア情報との間の前記事前に設定された第1のマッピング関係に従って、前記第1の環境特性情報に対応する前記第1のメディア情報を決定する前に、前記端末から前記ユーザまでの第1の距離が事前に設定された閾値未満であると判定する、ようにさらに構成されており、
前記処理モジュールは、前記表示画面回路および／または前記スピーカ回路に、前記第1のマルチメディア情報を前記ユーザに提示するよう命令するようにさらに構成されている、請求項10に記載の端末。
【発明の詳細な説明】
【技術分野】
【０００１】
本発明は、通信技術の分野に関し、特に、マルチメディア情報提示方法および端末に関する。
【背景技術】
【０００２】
通信技術の絶え間ない発展により、移動端末は人々の生活においてますます普及している。通例、移動端末は、移動端末の電力消費を減らすために、しばらくすると画面オフになる。ユーザが移動端末で操作を行う必要がある場合、ユーザは操作を行うために画面を点灯する。
【０００３】
ユーザの視覚体験を満足させるために、移動端末は、画面オンの間に様々なパターンや色を表示することができる。しかし、移動端末が画面オフ状態にあるとき、ユーザには表示画面の画面オフ状態のみが提示され、ユーザの人間コンピュータ間インタラクションインテリジェンス要件を満たすことができない。
【発明の概要】
【課題を解決するための手段】
【０００４】
本発明の実施形態は、ユーザ操作が比較的複雑であり、人間コンピュータ間インタラクションがインテリジェンスを欠いているという先行技術の技術的問題を解決するための、マルチメディア情報提示方法および端末を提供する。
【０００５】
第1の態様によれば、本発明の一実施形態はマルチメディア情報提示方法を提供し、本方法は、
画面オフ状態で端末の現在の第1の環境特性情報を取得するステップと、
第1の環境特性情報、および環境特性情報とマルチメディア情報との間の事前に設定された第1のマッピング関係に従って、第1の環境特性情報に対応する第1のマルチメディア情報を決定するステップと、
第1の環境特性情報に対応する第1のマルチメディア情報をユーザに提示するステップと、
を含む。
【０００６】
第1の態様に関連して、第1の態様の第1の可能な実施態様において、第1の環境特性情報、および環境特性情報とマルチメディア情報との間の事前に設定された第1のマッピング関係に従って、第1の環境特性情報に対応する第1のメディア情報を決定するステップの前に、本方法は、
第1の環境特性情報は、端末によって事前に設定されたウェイクアップ命令セット内の第2の環境特性情報と一致すると判定するステップであって、ウェイクアップ命令セットは、少なくとも1つの第2の環境特性情報を含み、第2の環境特性情報は、端末の表示画面回路をトリガして作動させることができる情報である、ステップ、
をさらに含み、
第1の環境特性情報に対応する第1のマルチメディア情報をユーザに提示するステップは、
表示画面回路に、表示画面を用いて、第1の環境特性情報に対応する第1のマルチメディア情報をユーザに提示するよう命令するステップ、
を特に含む。
【０００７】
第1の態様に関連して、第1の態様の第2の可能な実施態様において、第1の環境特性情報に対応する第1のマルチメディア情報をユーザに提示するステップは、
スピーカを用いて、ユーザに第1の環境特性情報に対応する第1のマルチメディア情報を再生するステップ、
を特に含む。
【０００８】
第1の態様から第1の態様の第2の可能な実施態様のいずれか1つに関連して、第1の態様の第3の可能な実施態様において、第1の環境特性情報は、端末が位置している環境の音声情報を含み、第1のマッピング関係は、異なる音声情報とマルチメディア情報との間のマッピング関係を含む。
【０００９】
第1の態様から第1の態様の第2の可能な実施態様のいずれか1つに関連して、第1の態様の第4の可能な実施態様において、第1の環境特性情報は、端末が位置している環境の温度情報を含み、第1のマッピング関係は、異なる温度情報とマルチメディア情報との間のマッピング関係を含む。
【００１０】
第1の態様から第1の態様の第2の可能な実施態様のいずれか1つに関連して、第1の態様の第5の可能な実施態様において、第1の環境特性情報は、端末が位置している環境の光強度を含み、第1のマッピング関係は、異なる光強度とマルチメディア情報との間のマッピング関係を含む。
【００１１】
第1の態様から第1の態様の第2の可能な実施態様のいずれか1つに関連して、第1の態様の第6の可能な実施態様において、第1の環境特性情報は、端末の回転角速度であり、第1のマッピング関係は、異なる回転角速度とマルチメディア情報との間のマッピング関係を含む。
【００１２】
第1の態様から第1の態様の第2の可能な実施態様のいずれか1つに関連して、第1の態様の第7の可能な実施態様において、第1の環境特性情報は、端末の移動速度または移動加速度であり、第1のマッピング関係は、異なる速度とマルチメディア情報との間のマッピング関係または異なる加速度とマルチメディア情報との間のマッピング関係を含む。
【００１３】
第1の態様に関連して、第1の態様の第8の可能な実施態様において、第1の環境特性情報は、端末からユーザまでの距離を含み、第1のマッピング関係は、端末からユーザまでの異なる距離とマルチメディア情報との間のマッピング関係を含み、第1の環境特性情報、および環境特性情報とマルチメディア情報との間の事前に設定された第1のマッピング関係に従って、第1の環境特性情報に対応する第1のメディア情報を決定するステップの前に、本方法は、
端末からユーザまでの第1の距離が事前に設定された閾値未満であると判定するステップ、
をさらに含み、
第1の環境特性情報に対応する第1のマルチメディア情報をユーザに提示するステップは、
表示画面回路および／またはスピーカ回路に、第1のマルチメディア情報をユーザに提示するよう命令するステップ、
を特に含む。
【００１４】
第2の態様によれば、本発明の一実施形態は端末を提供し、本端末は、画面オフ状態で端末の現在の第1の環境特性情報を取得するように構成された、収集モジュールと、
端末のものであり、収集モジュールによって画面オフ状態で取得された現在の第1の環境特性情報、第1の環境特性情報、および環境特性情報とマルチメディア情報との間の事前に設定された第1のマッピング関係に従って、第1の環境特性情報に対応する第1のマルチメディア情報を決定するように構成された、処理モジュールと、
ユーザに、処理モジュールによって決定された、第1の環境特性情報に対応している第1のマルチメディア情報を提示するように構成された、提示モジュールと、
を含む。
【００１５】
第2の態様に関連して、第2の態様の第1の可能な実施態様において、提示モジュールは表示画面回路であり、処理モジュールは、第1の環境特性情報、および環境特性情報とマルチメディア情報との間の事前に設定された第1のマッピング関係に従って、第1の環境特性情報に対応する第1のメディア情報を決定する前に、第1の環境特性情報は、端末によって事前に設定されたウェイクアップ命令セット内の第2の環境特性情報と一致すると判定するようにさらに構成されており、ウェイクアップ命令セットは、少なくとも1つの第2の環境特性情報を含み、第2の環境特性情報は、端末の表示画面回路をトリガして作動させることができる情報であり、
処理モジュールは、第1の環境特性情報、および環境特性情報とマルチメディア情報との間の事前に設定された第1のマッピング関係に従って、第1の環境特性情報に対応する第1のマルチメディア情報を決定した後で、表示画面回路に、表示画面を用いて、第1の環境特性情報に対応する第1のマルチメディア情報をユーザに提示するよう命令する、ように特に構成されている。
【００１６】
第2の態様に関連して、第2の態様の第2の可能な実施態様において、提示モジュールはスピーカ回路であり、処理モジュールは、スピーカ回路に、スピーカを用いて、ユーザに第1の環境特性情報に対応する第1のマルチメディア情報を再生するよう命令するように特に構成されている。
【００１７】
第2の態様から第2の態様の第2の可能な実施態様のいずれか1つに関連して、第2の態様の第3の可能な実施態様において、第1の環境特性情報は、端末が位置している環境の音声情報を含み、第1のマッピング関係は、異なる音声情報とマルチメディア情報との間のマッピング関係を含む。
【００１８】
第2の態様から第2の態様の第2の可能な実施態様のいずれか1つに関連して、第2の態様の第4の可能な実施態様において、第1の環境特性情報は、端末が位置している環境の温度情報を含み、第1のマッピング関係は、異なる温度情報とマルチメディア情報との間のマッピング関係を含む。
【００１９】
第2の態様から第2の態様の第2の可能な実施態様のいずれか1つに関連して、第2の態様の第5の可能な実施態様において、第1の環境特性情報は、端末が位置している環境の光強度を含み、第1のマッピング関係は、異なる光強度とマルチメディア情報との間のマッピング関係を含む。
【００２０】
第2の態様から第2の態様の第2の可能な実施態様のいずれか1つに関連して、第2の態様の第6の可能な実施態様において、第1の環境特性情報は、端末の回転角速度であり、第1のマッピング関係は、異なる回転角速度とマルチメディア情報との間のマッピング関係を含む。
【００２１】
第2の態様から第2の態様の第2の可能な実施態様のいずれか1つに関連して、第2の態様の第7の可能な実施態様において、第1の環境特性情報は、端末の移動速度または移動加速度であり、第1のマッピング関係は、異なる速度とマルチメディア情報との間のマッピング関係または異なる加速度とマルチメディア情報との間のマッピング関係を含む。
【００２２】
第2の態様に関連して、第2の態様の第8の可能な実施態様において、提示モジュールは、表示画面回路および／またはスピーカ回路であり、第1の環境特性情報は、端末からユーザまでの距離を含み、第1のマッピング関係は、端末からユーザまでの異なる距離とマルチメディア情報との間のマッピング関係を含み、処理モジュールは、第1の環境特性情報、および環境特性情報とマルチメディア情報との間の事前に設定された第1のマッピング関係に従って、第1の環境特性情報に対応する第1のメディア情報を決定する前に、端末からユーザまでの第1の距離が事前に設定された閾値未満であると判定する、ようにさらに構成されており、
処理モジュールは、表示画面回路および／またはスピーカ回路に、第1のマルチメディア情報をユーザに提示するよう命令するようにさらに構成されている。
【００２３】
本発明の実施形態で提供するマルチメディア情報提示方法および端末によれば、第1のマルチメディア情報をユーザに提示するために、端末の現在の第1の環境特性情報が画面オフ状態で取得され、第1の環境特性情報に対応する第1のマルチメディア情報が、第1の環境特性情報、および環境特性情報とマルチメディア情報との間の事前に設定された第1のマッピング関係に従って決定される。端末は、第1のマルチメディア情報をユーザに提示するときに、画面オフ状態を維持し、ロック画面状態にもアンロック状態にもならない。本発明の実施形態で提供する方法によれば、端末の画面オフ状態で、収集された第1の環境特性情報に従って異なる体験がユーザに提供され、人間コンピュータ間インタラクションインテリジェンスが改善される。
【００２４】
本発明の実施形態における、または先行技術における技術的解決策をより明確に説明するために、以下で、実施形態または先行技術を説明するのに必要な添付の図面について簡単に記述する。明らかに、以下の説明の添付の図面は本発明の一部の実施形態を示しており、当業者は、これら添付の図面から難なく他の図面をさらに導出することができる。
【図面の簡単な説明】
【００２５】
【図１】本発明の一実施形態で適用される端末の実施形態1の概略構造図である。
【図２】本発明の一実施形態によるマルチメディア情報提示方法の実施形態1の概略流れ図である。
【図３】本発明の一実施形態によるマルチメディア情報提示結果の概略図1である。
【図４】本発明の一実施形態によるマルチメディア情報提示結果の概略図2である。
【図５】本発明の一実施形態によるマルチメディア情報提示方法の実施形態2の概略流れ図である。
【図６】本発明の一実施形態による端末の実施形態2の概略構造図である。
【図７】本発明の一実施形態による携帯電話機の概略構造図である。
【発明を実施するための形態】
【００２６】
本発明の実施形態の目的、技術的解決策、および利点をより明確にするために、以下で、本発明の実施形態の添付の図面に関連して本発明の実施形態の技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００２７】
図1は、本発明の一実施形態で適用される端末の一実施形態の概略構造図である。図1に示すように、本実施形態の端末は、CPUなどのプロセッサ11と、メモリ12と、少なくとも1つの通信バス13と、ハードウェア上で動作するオペレーティングシステム14とを含んでいてよい。通信バス13は、要素間の通信および接続を実現するように構成されている。メモリ12は、高速RAMを含んでいてもよく、少なくとも1つの磁気ディスクメモリといった不揮発性メモリNVMを含んでいてもよい。メモリは、様々な処理機能を果たし、本実施形態の方法ステップを実施するのに用いられる様々なプログラムを記憶していてよい。
【００２８】
当業者には理解され得るように、図1に示す端末は、アンテナや無線通信モジュールといった様々な他の可能な要素をさらに含んでいてよく、これについて本発明では限定されない。加えて、本実施形態の端末は、スマートフォンやタブレットコンピュータといった様々な移動端末であってもよく、これについても本発明では限定されない。本発明の本実施形態の方法は、特に、人間コンピュータ間インタラクションが十分にインテリジェントではないという先行技術の技術的問題を解決するために用いることができる。
【００２９】
以下で具体的な実施形態を用いて、本発明の技術的解決策を詳細に説明する。以下のいくつかの具体的な実施形態は、互いに組み合わされてもよく、いくつかの実施形態では、同じまたは類似の概念またはプロセスについて繰り返し説明しない場合もある。
【００３０】
図2は、本発明の一実施形態によるマルチメディア情報提示方法の実施形態1の概略流れ図である。本発明の本実施形態は、前述の移動端末によって実行されてもよく、前述の移動端末の組み込みプロセッサによって実行されてもよい。本発明の本実施形態の端末の初期状態は、画面オフ状態である。画面オフ状態とは、携帯電話機が電源オン状態であるが、画面が黒い、または一部点灯状態であることを意味する。すなわち、画面オフ状態は、携帯電話機がロック画面状態になる前の状態である。本実施形態におけるロック画面状態とは、画面がロックされていることを意味し、アンロック画面は、事前に設定された特定のコンテンツを表示することによって提供される。ユーザは、携帯電話機がロック画面状態を終了し、アンロック状態になるように、特定のパスワードを入力し、または特定の操作を実行する／画面において特定のジェスチャを行う必要がある。アンロック状態では、ユーザは、端末の様々な機能を適切に使用することができる。
【００３１】
端末は、画面オフ状態にあるとき、まだ待機状態であることに留意すべきである。端末内部のいくつかの回路、構成要素、またはアプリケーションソフトウェア、例えば、ハードウェアや、スピーカ、プロセッサ、QQ、WeChatといったソフトウェアアプリケーションは、依然として稼動状態にあるが、端末の表示画面回路は休眠状態または一部点灯状態にある。以下の説明では、端末を実行本体の例として用いる。
【００３２】
図2に示すように、本方法は以下のステップを含む。
【００３３】
S101．画面オフ状態で端末の現在の第1の環境特性情報を取得する。
【００３４】
任意選択で、本発明の本実施形態では、端末の現在の第1の環境特性情報は、端末に事前に配置された収集モジュールによって取得されてもよく、または端末の現在の第1の環境特性情報は、対応する感知APPソフトウェアを用いて取得されてもよい。任意選択で、収集モジュールは、組み込みセンサであってもよく、端末のものであり、情報収集機能を有する別の構成要素であってもよい。端末が画面オフ状態にあるときに、端末は、収集モジュールを用いてリアルタイムで、端末が位置している環境の第1の環境特性情報をリアルタイムで検出することができる。任意選択で、第1の環境特性情報は、ユーザの音声情報、環境の温度情報、環境の光強度といった情報とすることができる。第1の環境特性情報の内容は、その内容が、端末が現在位置している環境の特性を表すことができる限り、本実施形態では限定されない。対応する感知APPソフトウェアは、例えば、端末の現在位置を取得し、気象情報を問い合わせることによって端末の現在温度情報を取得するソフトウェアであってもよい。
【００３５】
S102．第1の環境特性情報、および環境特性情報とマルチメディア情報との間の事前に設定された第1のマッピング関係に従って、第1の環境特性情報に対応する第1のマルチメディア情報を決定する。
【００３６】
具体的には、異なる環境特性情報とマルチメディア情報との間の第1のマッピング関係が端末内部で事前に設定される。任意選択で、異なる環境特性情報は、異なるマルチメディア情報に対応していてもよく、同じマルチメディア情報に対応していてもよい。マルチメディア情報は、動画、画像、音声といったマルチメディア形式の情報とすることができる。端末は、端末が現在位置している環境の第1の環境特性情報を取得した後で、前述の事前に設定された第1のマッピング関係に従って、第1の環境特性情報に対応する第1のマルチメディア情報を決定する。
【００３７】
S103．第1の環境特性情報に対応する第1のマルチメディア情報をユーザに提示する、端末は、第1のマルチメディア情報をユーザに提示するときに、画面オフ状態を維持し、ロック画面状態にもアンロック状態にもならない。
【００３８】
具体的には、端末は、組み込みプロセッサを用いて、端末に、前述の決定された第1のマルチメディア情報をユーザに提示するよう命令することができる。加えて、端末は、第1のマルチメディア情報をユーザに提示するときに、画面オフ状態を維持し、ロック画面状態にもアンロック状態にもならない。この状態では、表示画面は、点灯していない場合もあり、一部点灯状態の場合もある。任意選択で、端末は、組み込みプロセッサを用いて、端末に事前に配置されたマルチメディア回路に、第1の環境特性情報に対応する第1のマルチメディア情報をユーザに提示するよう命令することもできる。マルチメディア回路は、端末内部のスピーカ回路、表示画面回路などとすることができる。マルチメディア情報の具体的な表示については、次の例を参照されたい。
【００３９】
例えば、端末が画面オフ状態にあり、端末によって取得された第1の環境特性情報が、ユーザによって発せられた音声「寒気がする」である場合、端末は、事前に設定された第1のマッピング関係に従って、音声に対応する第1のマルチメディア情報は、「ジャンピングライン（炎）」または「雪の結晶」であると決定することができる。この場合、端末は、表示画面でユーザに「ジャンピングライン」または「雪の結晶」を提示する。詳細については、図3および図4の結果図を参照されたい。図において、端末は画面オフ状態にあり、ロック画面状態にもアンロック状態にもならない。あるいは、表示中に暖かい音楽が再生されてもよい。「ジャンピングライン」または「雪の結晶」は一定時間の後に消え、端末は黒い画面状態に戻る。したがって、ユーザと端末との間のインタラクションは、単純になり、人間中心性およびインテリジェンスが比較的高いという特徴を有し、それによって人間コンピュータ間インタラクションインテリジェンスが改善される。
【００４０】
本発明の本実施形態で提供するマルチメディア情報提示方法によれば、第1のマルチメディア情報をユーザに提示するために、端末の現在の第1の環境特性情報が画面オフ状態で取得され、第1の環境特性情報に対応する第1のマルチメディア情報が、第1の環境特性情報、および環境特性情報とマルチメディア情報との間の事前に設定された第1のマッピング関係に従って決定される。端末は、第1のマルチメディア情報をユーザに提示するときに、画面オフ状態を維持し、ロック画面状態にもアンロック状態にもならない。本発明の本実施形態で提供する方法によれば、端末の画面オフ状態で、収集された第1の環境特性情報に従って異なる体験がユーザに提供され、人間コンピュータ間インタラクションインテリジェンスが改善される。
【００４１】
図5は、本発明の一実施形態によるマルチメディア情報提示方法の実施形態2の概略流れ図である。本実施形態は、事前に配置された表示画面回路を用いて端末が、第1の環境特性情報に対応する第1のマルチメディア情報をユーザに提示する特定のプロセスを含む。図5に示すように、本方法は以下のステップを含む。
【００４２】
S201．画面オフ状態で端末の現在の第1の環境特性情報を取得する。
【００４３】
詳細については、前述のS101の説明を参照されたく、ここでは詳細を繰り返さない。
【００４４】
S202．第1の環境特性情報は、端末によって事前に設定されたウェイクアップ命令セット内の第2の環境特性情報と一致すると判定する、ウェイクアップ命令セットは、少なくとも1つの第2の環境特性情報を含み、第2の環境特性情報は、端末の表示画面回路をトリガして作動させることができる情報である。
【００４５】
具体的には、端末が画面オフ状態にあるときに、表示画面回路は休眠状態にある。したがって、端末は、端末内部で、表示画面回路が作動する必要があるかどうか判定することができるウェイクアップ命令セットを事前に設定する。ウェイクアップ命令セットは、少なくとも1つの第2の環境特性情報を含むことができる。第2の環境特性情報は、端末の表示画面回路をトリガして作動させることができる情報である。任意選択で、第2の環境特性情報は、端末によって事前に設定されたある温度情報のセットであってもよく、光強度情報セットであってもよく、音声情報セットであってもよく、いくつかの異なる種類の情報を含むセットであってもよい。第2の環境特性情報の形態は、本発明の本実施形態では限定されない。
【００４６】
端末は、端末が位置している環境の第1の環境特性情報を取得した後で、第1の環境特性情報が前述のウェイクアップ命令セット内の第2の環境特性情報と一致するかどうか判定する、すなわち、第1の環境特性情報がウェイクアップ命令セット内の第2の環境特性情報と同一であり、または特定の相関関係を有するかどうか判定する。端末が第1の環境特性情報は前述のウェイクアップ命令セット内の第2の環境特性情報と一致すると判定した場合、端末は、表示画面回路が作動する必要があると判定する。任意選択で、第1の環境特性情報は前述のウェイクアップ命令セット内の第2の環境特性情報と一致すると判定した場合、端末は、表示画面回路をトリガして作動させるために、組み込みプロセッサを用いて事前に表示画面回路に命令を送り、または、プロセッサと表示画面回路とを接続するピンのレベルを事前に上げることによって、表示画面回路をトリガして作動させることができる。端末が表示画面回路をトリガする形態は、本実施形態では限定されない。
【００４７】
S203．第1の環境特性情報、および環境特性情報とマルチメディア情報との間の事前に設定された第1のマッピング関係に従って、第1の環境特性情報に対応する第1のマルチメディア情報を決定する。
【００４８】
具体的には、このステップについては、前述のS102の具体的なプロセスを参照されたく、ここでは詳細を繰り返さない。
【００４９】
S204．表示画面回路に、表示画面を用いて、第1の環境特性情報に対応する第1のマルチメディア情報をユーザに提示するよう命令する、端末は、第1のマルチメディア情報をユーザに提示するときに、画面オフ状態を維持し、ロック画面状態にもアンロック状態にもならない。
【００５０】
任意選択で、表示画面回路が表示画面を用いてユーザに第1のマルチメディア情報を提示するときに、画面は点灯しない場合があり、第1のマルチメディア情報がユーザに直接提示され、または、画面の一部が点灯し、第1のマルチメディア情報がユーザに提示される。提示方法にかかわらず、端末は、第1のマルチメディア情報を提示するときに、画面オフ状態を維持し、ロック画面状態にもアンロック状態にもならない。
【００５１】
本発明の本実施形態で提供するマルチメディア情報提示方法によれば、端末の現在の第1の環境特性情報が画面オフ状態で取得され、第1の環境特性情報は、端末によって事前に設定されたウェイクアップ命令セット内の第2の環境特性情報と一致すると判定された後で、表示画面回路に、表示画面を用いて、第1のマルチメディア情報をユーザに提示するよう命令するために、第1の環境特性情報に対応する第1のマルチメディア情報が、第1の環境特性情報、および環境特性情報とマルチメディア情報との間の事前に設定された第1のマッピング関係に従って決定される。端末は、第1のマルチメディア情報をユーザに提示するときに、画面オフ状態を維持し、ロック画面状態にもアンロック状態にもならない。本発明の本実施形態で提供する方法によれば、端末の画面オフ状態で、収集された第1の環境特性情報に従って異なる体験がユーザに提供され、人間コンピュータ間インタラクションインテリジェンスが改善される。
【００５２】
前述の図2に示す実施形態に基づき、一実施形態は、スピーカを用いて端末が、第1のマルチメディア情報をユーザに提示する特定のプロセスを含む。具体的には、前述のS103は、スピーカを用いて、ユーザに第1の環境特性情報に対応する第1のマルチメディア情報を再生するステップ、を特に含む。端末は、第1のマルチメディア情報をユーザに提示するときに、画面オフ状態を維持し、ロック画面状態にもアンロック状態にもならない。
【００５３】
具体的には、前述の実施形態との差異は、端末が画面オフ状態にあるときに、端末内部のスピーカ回路が常に稼動状態にあることである。したがって、画面オフ状態で端末の現在の第1の環境特性情報を取得した後で、端末は、スピーカ回路をトリガして作動させる必要がない可能性があり、すなわち、第1の環境特性情報に対応する第1のマルチメディア情報を直接決定する。第1のマルチメディア情報は、オーディオ形式の情報とすることができる。その場合、端末は、スピーカ回路がスピーカを用いてユーザに第1のマルチメディア情報を再生するように、第1のマルチメディア情報をスピーカ回路に送る。例えば、端末が画面オフ状態にあり、端末によって取得された第1の環境特性情報が、ユーザによって発せられた音声「寒気がする」である場合、端末は、事前に設定された第1のマッピング関係に従って、音声に対応する第1のマルチメディア情報は、歌詞と暖かい音楽であると決定することができる。その場合、端末は、スピーカを用いてユーザに音楽を再生する。したがって、ユーザと端末との間のインタラクションは、単純になり、人間中心性およびインテリジェンスが比較的高いという特徴を有し、それによって人間コンピュータ間インタラクションインテリジェンスが改善される。本実施形態では、端末は、第1のマルチメディア情報をユーザに提示するときに、画面オフ状態を維持し、ロック画面状態にもアンロック状態にもならないことに留意すべきである。画面オフ状態は、画面が黒い状態とすることができる。
【００５４】
本発明の本実施形態で提供するマルチメディア情報提示方法によれば、スピーカを用いてユーザに第1のマルチメディア情報を再生するために、端末の現在の第1の環境特性情報が画面オフ状態で取得され、第1の環境特性情報に対応する第1のマルチメディア情報が、第1の環境特性情報、および環境特性情報とマルチメディア情報との間の事前に設定された第1のマッピング関係に従って決定される。端末は、第1のマルチメディア情報をユーザに提示するときに、画面オフ状態を維持し、ロック画面状態にもアンロック状態にもならない。本発明の本実施形態で提供する方法によれば、端末の画面オフ状態で、収集された第1の環境特性情報に従って異なる体験がユーザに提供され、人間コンピュータ間インタラクションインテリジェンスが改善される。
【００５５】
前述のすべての実施形態に基づき、端末は、組み込み収集モジュールを用いて、端末の現在の第1の環境特性情報を取得することができる。任意選択で、収集モジュールは、異なるハードウェア回路または構成要素であってもよい。詳細については、以下の6つの可能な実施態様を参照されたい。
【００５６】
実施態様1：前述の収集モジュールは、スピーカまたは音センサとすることができ、第1の環境特性情報は、端末が位置している環境の音声情報を含み、第1のマッピング関係は、異なる音声情報とマルチメディア情報との間のマッピング関係を含む。
【００５７】
第1の環境特性情報は、ユーザの音声であってもよく、スピーカによって検出された別の外部音であってもよいことに留意すべきである。前述の第1のマッピング関係においては、異なる音声情報が異なるマルチメディア情報に対応していてもよく、同じマルチメディア情報に対応していてもよい。例えば、ユーザによって発せられた音声「寒気がする」である第1の環境特性情報に対応するマルチメディア情報と、端末が屋外の広場に位置しているときにラジオから発せられた「本日の気温は−2℃です」に対応するマルチメディア情報とはどちらも「ジャンピングライン」である。
【００５８】
実施態様2：前述の収集モジュールは、温度センサとすることができ、第1の環境特性情報は、端末が位置している環境の温度情報を含み、第1のマッピング関係は、異なる温度情報とマルチメディア情報との間のマッピング関係を含む。
【００５９】
第1のマッピング関係においては、異なる温度情報が異なるマルチメディア情報に対応していてもよく、同じマルチメディア情報に対応していてもよいことに留意すべきである。その場合、第1のマッピング関係において、ある温度閾値内のすべての温度は、1つのマルチメディア情報に対応していてもよい（当然ながら、第1のマッピング関係は複数の異なる温度閾値を含む）。例えば、温度閾値が0℃から−5℃まで鳴った場合、対応するマルチメディア情報は「ジャンピングライン」であると仮定する。したがって、温度センサによって収集された第1の環境特性情報が−2℃である場合と、温度センサによって収集された第1の環境特性情報が−3℃である場合とでは、2つの第1の環境特性情報は同じマルチメディア情報に対応している。
【００６０】
実施態様3：前述の収集モジュールは、光センサとすることができ、第1の環境特性情報は、端末が位置している環境の光強度を含み、第1のマッピング関係は、異なる光強度とマルチメディア情報との間のマッピング関係を含む。
【００６１】
第1のマッピング関係においては、異なる光強度が異なるマルチメディア情報に対応していてもよく、同じマルチメディア情報に対応していてもよいことに留意すべきである。その場合、第1のマッピング関係において、ある光強度閾値内のすべての光強度は、1つのマルチメディア情報に対応していてもよい。
【００６２】
実施態様4：前述の収集モジュールは、ジャイロセンサとすることができ、第1の環境特性情報は、端末の回転角速度であり、第1のマッピング関係は、異なる回転角速度とマルチメディア情報との間のマッピング関係を含む。
【００６３】
第1のマッピング関係においては、異なる回転角速度が異なるマルチメディア情報に対応していてもよく、同じマルチメディア情報に対応していてもよいことに留意すべきである。その場合、第1のマッピング関係において、ある回転角速度閾値内のすべての回転角速度は、1つのマルチメディア情報に対応していてもよい（当然ながら、第1のマッピング関係は複数の異なる回転角速度閾値を含む）。例えば、回転角速度閾値が20ラジアン／秒から80ラジアン／秒まで鳴った場合、対応するマルチメディア情報は「回転画像」であると仮定する。したがって、ジャイロセンサによって収集された第1の環境特性情報が40ラジアン／秒である場合と、ジャイロセンサによって収集された第1の環境特性情報が70ラジアン／秒である場合とでは、2つの第1の環境特性情報は同じマルチメディア情報に対応している。
【００６４】
実施態様5：前述の収集モジュールは、加速度センサとすることができ、第1の環境特性情報は、端末の移動速度または移動加速度であり、第1のマッピング関係は、異なる速度とマルチメディア情報との間のマッピング関係または異なる加速度とマルチメディア情報との間のマッピング関係を含む。
【００６５】
第1のマッピング関係においては、異なる速度が異なるマルチメディア情報に対応していてもよく、同じマルチメディア情報に対応していてもよく、異なる加速度が異なるマルチメディア情報に対応していてもよく、同じマルチメディア情報に対応していてもよいことに留意すべきである。その場合、異なる環境特性情報が同じマルチメディア情報に対応しているときには、第1のマッピング関係において、ある速度閾値内のすべての速度は1つのマルチメディア情報に対応していてもよく、またはある加速度閾値内のすべての加速度は1つのマルチメディア情報に対応していてもよい（当然ながら、第1のマッピング関係は、複数の異なる速度閾値または複数の異なる加速度閾値を含む）。例えば、速度閾値が1m／秒から5m／秒まで鳴った場合、対応するマルチメディア情報は「走っている漫画キャラクタ」であると仮定する。したがって、速度センサによって収集された第1の環境特性情報が1m／秒である場合と、速度センサによって収集された第1の環境特性情報が4m／秒である場合とでは、2つの第1の環境特性情報は同じマルチメディア情報に対応している。
【００６６】
実施態様6：前述の収集モジュールは、距離センサとすることができ、第1の環境特性情報は、端末からユーザまでの距離を含み、第1のマッピング関係は、端末からユーザまでの異なる距離とマルチメディア情報との間のマッピング関係を含む。
【００６７】
第1のマッピング関係においては、端末からユーザまでの異なる距離が異なるマルチメディア情報に対応していてもよく、同じマルチメディア情報に対応していてもよいことに留意すべきである。その場合、第1のマッピング関係において、ある距離閾値内のすべての温度は、1つのマルチメディア情報に対応していてもよい（当然ながら、第1のマッピング関係は複数の異なる距離閾値を含む）。例えば、距離閾値の範囲が2mから5mまでである場合、対応するマルチメディア情報は「呼吸している泡」であると仮定する。したがって、距離センサによって収集された第1の環境特性情報が4mである場合と、温度センサによって収集された第1の環境特性情報が3mである場合とでは、2つの第1の環境特性情報は同じマルチメディア情報に対応している。
【００６８】
本実施形態では、前述のS102の前に、本方法は、端末からユーザまでの第1の距離が事前に設定された閾値未満であると判定するステップ、をさらに含む。すなわち、端末が、端末からユーザまでの第1の距離は事前に設定された閾値未満であると判定した場合に限り、端末は、第1の環境特性情報、および環境特性情報とマルチメディア情報との間の事前に設定された第1のマッピング関係に従って、第1の環境特性情報に対応する第1のメディア情報を決定することができる。
【００６９】
具体的には、収集モジュールが距離センサである場合、距離センサは、端末からユーザまでの距離を測定するのに「飛行時間法」（flying time）の原理を使用することができる。「飛行時間法」（flying time）とは、端末がきわめて短い光パルスを送信し、光パルスの送信から対象物による光パルスの反射までの時間を測定し、時間間隔を測定することによって端末から対象物までの距離を計算することを意味する。本実施形態では、端末がユーザおよび端末からの距離を測定することは、具体的には、端末が、内部の全地球測位システム（Global Positioning System、以下GPSと略記する）またはジャイロセンサを用いて、端末が静止状態にあるかどうか、およびその静止状態が事前に設定された時間にわたって続くかどうか検出できるということである。そうである場合、端末は、端末からユーザまでの第1の距離を測定するために、距離センサをトリガして光パルスを送信させる。
【００７０】
第1の距離を収集した後で、端末は、第1の距離が事前に設定された閾値未満であるかどうか判定する。そうである場合、端末は、第1の環境特性情報および第1のマッピング関係に従って第1のマルチメディア情報を決定して、対応するマルチメディア回路に、第1の距離に対応する前述の決定された第1のマルチメディア情報をユーザに提示するよう命令する。本実施形態において、マルチメディア回路は、表示画面作動回路であってもよく、スピーカ回路であってもよく、それらの組み合わせであってもよい。したがって、マルチメディア回路が第1のマルチメディア情報をユーザに提示するときに、端末は画面オフ状態を維持し、ロック画面状態にもアンロック状態にもならない。
【００７１】
本発明の本実施形態で提供するマルチメディア情報提示方法によれば、端末のマルチメディア回路に第1のマルチメディア情報をユーザに提示するよう命令するために、端末の現在の第1の環境特性情報が画面オフ状態で取得され、第1の環境特性情報に対応する第1のマルチメディア情報が、第1の環境特性情報、および環境特性情報とマルチメディア情報との間の事前に設定された第1のマッピング関係に従って決定される。端末は、第1のマルチメディア情報をユーザに提示するときに、画面オフ状態を維持し、ロック画面状態にもアンロック状態にもならない。本発明の本実施形態で提供する方法によれば、端末の画面オフ状態で、収集された第1の環境特性情報に従って異なる体験がユーザに提供され、人間コンピュータ間インタラクションインテリジェンスが改善される。
【００７２】
当業者には理解されるように、前述の方法実施形態のステップの全部または一部を、関連ハードウェアに命令するプログラムを用いて実現することができる。前述のプログラムは、コンピュータ可読記憶媒体に記憶されていてよい。プログラムが実行されると、前述の方法の各ステップが実行される。前述の記憶媒体は、ROM、RAM、磁気ディスク、光ディスクといった、プログラムコードを記憶することのできる任意の媒体を含む。
【００７３】
図6は、本発明による端末の実施形態2の概略構造図である。図6に示すように、本端末は、収集モジュール20と、処理モジュール21と、提示モジュール22とを含む。
【００７４】
収集モジュール20は、画面オフ状態で端末の現在の第1の環境特性情報を取得するように構成されている。
【００７５】
処理モジュール21は、端末のものであり、収集モジュールによって画面オフ状態で取得された現在の第1の環境特性情報、第1の環境特性情報、および環境特性情報とマルチメディア情報との間の事前に設定された第1のマッピング関係に従って、第1の環境特性情報に対応する第1のマルチメディア情報を決定するように構成されている。
【００７６】
提示モジュール22は、ユーザに、処理モジュールによって決定された、第1の環境特性情報に対応している第1のマルチメディア情報を提示するように構成されている。
【００７７】
任意選択で、収集モジュール20は、温度センサ、音センサ、速度センサ、重力感知センサなどの対応するセンサであってもよく、対応する感知APPであってもよい。
【００７８】
任意選択で、前述の提示モジュール22は、音声、テキスト、ビデオ、画像といった豊富な効果を提供することができるマルチメディア回路であってもよい。
【００７９】
本発明の本実施形態で提供する端末は、前述の方法の実施形態を実行することができる。端末実施形態と方法実施形態との実装原理および技術的効果は同様であり、ここでは詳細を説明しない。
【００８０】
任意選択で、前述の提示モジュール22は、表示画面回路である。処理モジュール21は、第1の環境特性情報、および環境特性情報とマルチメディア情報との間の事前に設定された第1のマッピング関係に従って、第1の環境特性情報に対応する第1のメディア情報を決定する前に、第1の環境特性情報は、端末によって事前に設定されたウェイクアップ命令セット内の第2の環境特性情報と一致すると判定するようにさらに構成されている。ウェイクアップ命令セットは、少なくとも1つの第2の環境特性情報を含み、第2の環境特性情報は、端末の表示画面回路をトリガして作動させることができる情報である。
【００８１】
処理モジュール21は、第1の環境特性情報、および環境特性情報とマルチメディア情報との間の事前に設定された第1のマッピング関係に従って、第1の環境特性情報に対応する第1のマルチメディア情報を決定した後で、表示画面回路に、表示画面を用いて、第1の環境特性情報に対応する第1のマルチメディア情報をユーザに提示するよう命令する、ように特に構成されている。
【００８２】
任意選択で、前述の提示モジュール22は、スピーカ回路であってもよい。処理モジュール21は、スピーカを用いて、第1の環境特性情報に対応する第1のマルチメディア情報をユーザに再生するようスピーカ回路に命令するように特に構成されている。
【００８３】
前述の図6に示した実施形態に基づき、任意選択で、前述の収集モジュール20は、スピーカまたは音センサとすることができ、第1の環境特性情報は、端末が位置している環境の音声情報を含み、第1のマッピング関係は、異なる音声情報とマルチメディア情報との間のマッピング関係を含む。
【００８４】
任意選択で、前述の収集モジュール20は、温度センサとすることができ、第1の環境特性情報は、端末が位置している環境の温度情報を含み、第1のマッピング関係は、異なる温度情報とマルチメディア情報との間のマッピング関係を含む。
【００８５】
任意選択で、前述の収集モジュール20は、光センサとすることができ、第1の環境特性情報は、端末が位置している環境の光強度を含み、第1のマッピング関係は、異なる光強度とマルチメディア情報との間のマッピング関係を含む。
【００８６】
任意選択で、前述の収集モジュール20はジャイロセンサとすることができ、第1の環境特性情報は、端末の回転角速度であり、第1のマッピング関係は、異なる回転角速度とマルチメディア情報との間のマッピング関係を含む。
【００８７】
任意選択で、前述の収集モジュール20は、加速度センサとすることができ、第1の環境特性情報は、端末の移動速度または移動加速度であり、第1のマッピング関係は、異なる速度とマルチメディア情報との間のマッピング関係または異なる加速度とマルチメディア情報との間のマッピング関係を含む。
【００８８】
任意選択で、前述の収集モジュール20は距離センサとすることができ、第1の環境特性情報は、端末からユーザまでの距離を含み、第1のマッピング関係は、端末からユーザまでの異なる距離とマルチメディア情報との間のマッピング関係を含む。処理モジュール21は、第1の環境特性情報、および環境特性情報とマルチメディア情報との間の事前に設定された第1のマッピング関係に従って、第1の環境特性情報に対応する第1のメディア情報を決定する前に、端末からユーザまでの第1の距離が事前に設定された閾値未満であると判定する、ようにさらに構成されている。このシナリオでは、提示モジュール22は、表示画面回路であってもよく、スピーカ回路であってもよい。前述の処理モジュール21は、表示画面回路および／またはスピーカ回路に、第1のマルチメディア情報をユーザに提示するよう命令するようにさらに構成されている。
【００８９】
前述の実施形態で説明したように、本発明の本実施形態に係る移動端末は、携帯電話機、タブレットコンピュータ、PDAなどとすることができる。携帯電話機を例として用いる。図7に、本発明の一実施形態による、移動端末が携帯電話機である場合の部分構造のブロック図を示す。図7を参照すると、携帯電話機は、無線周波数（Radio Frequency、RF）回路1110、メモリ1120、入力部1130、表示部1140、センサ1150、オーディオ回路1160、WiFi（wireless fidelity、WiFi）モジュール1170、プロセッサ1180、電源1190といった部品を含む。当業者には理解されるように、図7に示す携帯電話機構造は、携帯電話機を限定するものではなく、図に示す部品よりも多い、または少ない部品を含んでいてもよく、一部の部品が組み合わされていても、部品構成が異なっていてもよい。
【００９０】
以下で、図7を参照して、携帯電話機のすべての構成部分について詳細に説明する。
【００９１】
RF回路1110は、情報受信もしくは送信プロセスまたは通話プロセスにおいて信号を送受信し、特に、基地局のダウンリンク情報を受信した後で、ダウンリンク情報を処理のためのプロセッサ1180に送り、アップリンクデータを基地局に送信するように構成されていてよい。一般に、RF回路は、それだけに限らないが、アンテナ、少なくとも1つの増幅器、送受信機、結合器、低雑音増幅器（Low Noise Amplifier、LNA）、デュプレクサなどを含む。加えて、RF回路1110は、無線通信によってネットワークおよび別の機器とさらに通信することもできる。前述の無線通信は、任意の通信規格またはプロトコルを使用することができ、それらの規格またはプロトコルには、それだけに限らないが、モバイル通信用グローバルシステム（Global System for Mobile communication、GSM（登録商標））、汎用パケット無線サービス（General Packet Radio Service、GPRS）、符号分割多元接続（Code Division Multiple Access、CDMA）、広帯域符号分割多元接続（Wideband Code Division Multiple Access、WCDMA（登録商標））、ロング・ターム・エボルーション（Long Term Evolution、LTE）、電子メール、ショート・メッセージ・サービス（Short Messaging Service、SMS）などが含まれる。
【００９２】
メモリ1120はソフトウェアプログラムおよびモジュールを記憶するように構成されていてよい。プロセッサ1180は、メモリ1120に記憶されたソフトウェアプログラムおよびモジュールを実行することによって、携帯電話機の様々な機能アプリケーションおよびデータ処理を実行する。メモリ1120は、主に、プログラム記憶領域とデータ記憶領域とを含んでいてよい。プログラム記憶領域には、オペレーティングシステム、少なくとも1つの機能（音声再生機能や画像再生機能など）が必要とするアプリケーションプログラムなどを記憶することができる。データ記憶領域には、携帯電話機の使用に従って作成されたデータ（オーディオデータや電話帳など）などを記憶することができる。加えて、メモリ1120は、高速ランダムアクセスメモリを含んでいてもよく、少なくとも1つの磁気ディスク記憶コンポーネントといった不揮発性メモリ、フラッシュデバイス、または別の揮発性固体記憶装置を含んでいてもよい。
【００９３】
入力部1130は、入力された数字または文字情報を受け取り、携帯電話機1100のユーザ設定および機能制御に関連したキー信号入力を生成するように構成されていてよい。具体的には、入力部1130は、タッチパネル1131および別の入力装置1132を含んでいてよい。タッチパネル1131は、タッチスクリーンとも呼ばれ、ユーザがタッチパネル1131上で、またはその近くで行ったタッチ操作（例えば、ユーザが、指またはスタイラスといった任意の適切な物体もしくはアクセサリを用いて、タッチパネル1131上で、またはタッチパネル1131の近くで行った操作）を収集し、事前に設定されたプログラムに従って対応する接続装置を駆動することができる。任意選択で、タッチパネル1131は、タッチ検出装置とタッチコントローラの2つの部分を含んでいてもよい。タッチ検出装置は、ユーザのタッチ方向を検出し、タッチ操作が生じた信号を検出し、その信号をタッチコントローラに送る。タッチコントローラは、タッチ検出装置からタッチ情報を受け取り、タッチ情報をタッチ点座標に変換し、次いで、タッチ点座標をプロセッサ1180に送り、プロセッサ1180によって送られたコマンドを受け取り、実行することができる。加えて、タッチパネル1131は、抵抗膜式、静電容量式、赤外線、表面弾性波など、複数の種類として実施することができる。入力部1130は、タッチパネル1131に加えて、別の入力装置1132をさらに含んでいてよい。具体的には、別の入力装置1132には、それだけに限らないが、物理キーボード、機能キー（音量調節キーやオン／オフキーなど）、トラックボール、マウス、ジョイスティックなどのうちの1つまたは複数が含まれる。
【００９４】
表示部1140は、ユーザによって入力された情報またはユーザに提供された情報、および携帯電話機の様々なメニューを表示するように構成されていてよい。表示部1140は、表示パネル1141を含んでいてよい。任意選択で、表示パネル1141は、液晶ディスプレイ（Liquid Crystal Display、LCD）および有機発光ダイオード（Organic Light−Emitting Diode、OLED）などの形態で構成されていてもよい。さらに、タッチパネル1131は、表示パネル1141を覆っていてよい。タッチパネル1131は、タッチパネル1131上またはその近くのタッチ操作を検出した後で、タッチイベントの種類を判定するためにタッチ操作をプロセッサ1180に送る。続いて、プロセッサ1180は、タッチイベントの種類に従って表示パネル1141で対応する視覚出力を提供する。図7では、タッチパネル1131および表示パネル1141は、携帯電話機の入力機能および出力機能を実施すべき2つの独立した部分として用いられているが、タッチパネル1131および表示パネル1141は、携帯電話機の入出力機能を実施するために統合されていてもよい。
【００９５】
携帯電話機は、光センサ、動きセンサ、別のセンサといった少なくとも1つのセンサ1150をさらに含んでいてよい。具体的には、光センサは、周囲光センサおよび近接センサを含んでいてよい。周囲光センサは、周囲光の明るさに従って表示パネル1141の輝度を調節することができる。携帯電話機が耳に当てられると、周囲光センサは、表示パネル1141および／またはバックライトをオフにすることができる。動きセンサの一種として、加速度センサは、各方向（一般には3軸）の加速度値を検出し、加速度センサが静止しているときの重力の値および方向を検出することができ、携帯電話機の姿勢を認識するための用途（横置きモードと縦置きモードとの画面切替え、関連したゲーム、磁力計姿勢較正など）、振動認識に関連した機能（歩数計やノックなど）などに使用することができる。やはり携帯電話機上に配置することのできる、ジャイロスコープ、気圧計、湿度計、温度計、赤外線センサといった他のセンサについては、ここでは詳細を説明しない。
【００９６】
オーディオ回路1160、スピーカ1161、およびマイクロフォン1162は、ユーザと携帯電話機との間でオーディオ画面を提供することができる。オーディオ回路1160は、スピーカ1161に、オーディオデータから変換された受信電気信号を送り、スピーカ1161は、電気信号を出力のために音声信号に変換することができる。一方、マイクロフォン1162は、集音された音声信号を電気信号に変換する。オーディオ回路1160は、電気信号を受け取り、オーディオデータに変換し、次いで、オーディオデータを処理のためにプロセッサ1180に出力する。プロセッサ1180は、処理した音声データを、例えば、RF回路1110を用いて別の携帯電話機に送り、または処理した音声データをさらに処理するためにメモリ1120に出力する。
【００９７】
WiFiは、近距離無線伝送技術に属する。携帯電話機は、WiFiモジュール1170を用いて、ユーザが電子メールを送受信したり、ウェブページをブラウズしたり、ストリーミングメディアにアクセスしたりするのを助けることができる。WiFiモジュール1170は、ユーザに無線ブロードバンド・インターネット・アクセスを提供する。WiFiモジュール1170は図7に示されているが、理解されるように、WiFiモジュール1170は携帯電話機の必須構成要素ではなく、本発明の本質的な範囲を変更することなく要件に従って完全に省かれてもよい。
【００９８】
プロセッサ1180は、携帯電話機のコントロールセンタであり、様々な画面および回線を用いて携帯電話機全体のすべての部分に接続されており、携帯電話機の全般的なモニタリングを行うために、メモリ1120に記憶されたソフトウェアプログラムおよび／またはモジュールを動作させ、または実行し、メモリ1120に記憶されたデータを呼び出すことによって、携帯電話機の様々な機能およびデータ処理を実行する。任意選択で、プロセッサ1180は、1つまたは複数の処理装置を含んでいてもよい。好ましくは、プロセッサ1180にはアプリケーションプロセッサとモデムプロセッサとが統合されている。アプリケーションプロセッサは、主に、オペレーティングシステム、ユーザ画面、アプリケーションプログラムなどを処理する。モデムプロセッサは、主に、無線通信を処理する。前述のモデムプロセッサは、プロセッサ1180に統合されていなくてもよいことが理解されよう。
【００９９】
携帯電話機は、すべての部分に電力を供給する電源（バッテリなど）1190をさらに含む。好ましくは、電源は、電源管理システムを用いて充放電管理や電力消費管理といった機能を果たすように、電源管理システムを用いてプロセッサ1180に論理的に接続されていてよい。
【０１００】
図示していないが、携帯電話機は、カメラ、ブルートゥース（登録商標）モジュール、GPSモジュールなどをさらに含んでいてよく、ここでは詳細を説明しない。
【０１０１】
本発明の本実施形態では、携帯電話機に含まれるプロセッサ1180は、携帯電話機の現在の第1の環境特性情報を取得する機能、第1の環境特性情報、および環境特性情報とマルチメディア情報との間の事前に設定された第1のマッピング関係に従って、第1の環境特性情報に対応する第1のマルチメディア情報を決定する機能、ならびに第1の環境特性情報に対応する第1のマルチメディア情報をユーザに提示する機能をさらに有する。
【０１０２】
本発明の移動端末が前述の携帯電話機である場合、携帯電話機が画面オフ状態でマルチメディア情報をどのように提示するかについては、前述のマルチメディア情報提示方法の実施形態の詳細な説明を参照されたく、ここでは詳細を説明しない。
【０１０３】
最後に、前述の実施形態は単に本発明の技術的解決策を説明するためのものにすぎず、本発明を限定するためのものではないことに留意すべきである。本発明は前述の実施形態に関連して詳細に説明されているが、当業者は、本発明の実施形態の技術的解決策の範囲を逸脱することなく、前述の実施形態に記述されている技術的解決策にさらに改変を加え、あるいは、前述の実施形態の一部または全部の技術的特徴に対する等価の置換を行うことができることを理解するはずである。
【符号の説明】
【０１０４】
11  プロセッサ
12  メモリ
13  通信バス
14  オペレーティングシステム
20  収集モジュール
21  処理モジュール
22  提示モジュール
1100  携帯電話機
1110  RF回路
1120  メモリ
1130  入力部
1131  タッチパネル
1132  別の入力装置
1140  表示部
1141  表示パネル
1150  センサ
1160  オーディオ回路
1161  スピーカ
1162  マイクロフォン
1170  WiFiモジュール
1180  プロセッサ
1190  電源
【図１】
2018504707.tif 000003
【図２】
2018504707.tif 000004
【図３】
2018504707.tif 000005
【図４】
2018504707.tif 000006
【図５】
2018504707.tif 000007
【図６】
2018504707.tif 000008
【図７】
2018504707.tif 000009
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
マルチメディア情報提示方法であって、
画面オフ状態で端末の現在の第1の環境特性情報を取得するステップと、
前記第1の環境特性情報、および環境特性情報とマルチメディア情報との間の事前に設定された第1のマッピング関係に従って、前記第1の環境特性情報に対応する第1のマルチメディア情報を決定するステップと、
前記第1の環境特性情報に対応する前記第1のマルチメディア情報をユーザに提示するステップと、
を含む、方法。
【請求項２】
前記第1の環境特性情報、および環境特性情報とマルチメディア情報との間の事前に設定された第1のマッピング関係に従って、前記第1の環境特性情報に対応する第1のマルチメディア情報を決定する前記ステップの前に、
前記第1の環境特性情報は、前記端末によって事前に設定されたウェイクアップ命令セット内の第2の環境特性情報と一致すると判定するステップであって、前記ウェイクアップ命令セットは、少なくとも1つの第2の環境特性情報を含み、前記第2の環境特性情報は、前記端末の表示画面回路をトリガして作動させることができる情報である、前記ステップ、
をさらに含み、
前記第1の環境特性情報に対応する前記第1のマルチメディア情報をユーザに提示する前記ステップは、
前記表示画面回路に、表示画面を用いて、前記第1の環境特性情報に対応する前記第1のマルチメディア情報を前記ユーザに提示するよう命令するステップ、
を特に含む、請求項1に記載の方法。
【請求項３】
前記第1の環境特性情報に対応する前記第1のマルチメディア情報をユーザに提示する前記ステップは、
スピーカを用いて、前記ユーザのために前記第1の環境特性情報に対応する前記第1のマルチメディア情報を再生するステップ、
を特に含む、請求項1に記載の方法。
【請求項４】
前記第1の環境特性情報は、前記端末が位置している環境の音声情報を含み、前記第1のマッピング関係は、異なる音声情報とマルチメディア情報との間のマッピング関係を含む、請求項1から3のいずれか一項に記載の方法。
【請求項５】
前記第1の環境特性情報は、前記端末が位置している環境の温度情報を含み、前記第1のマッピング関係は、異なる温度情報とマルチメディア情報との間のマッピング関係を含む、請求項1から3のいずれか一項に記載の方法。
【請求項６】
前記第1の環境特性情報は、前記端末が位置している環境の光強度を含み、前記第1のマッピング関係は、異なる光強度とマルチメディア情報との間のマッピング関係を含む、請求項1から3のいずれか一項に記載の方法。
【請求項７】
前記第1の環境特性情報は、前記端末の回転角速度であり、前記第1のマッピング関係は、異なる回転角速度とマルチメディア情報との間のマッピング関係を含む、請求項1から3のいずれか一項に記載の方法。
【請求項８】
前記第1の環境特性情報は、前記端末の移動速度または移動加速度であり、前記第1のマッピング関係は、異なる速度とマルチメディア情報との間のマッピング関係または異なる加速度とマルチメディア情報との間のマッピング関係を含む、請求項1から3のいずれか一項に記載の方法。
【請求項９】
前記第1の環境特性情報は、前記端末から前記ユーザまでの距離を含み、前記第1のマッピング関係は、前記端末から前記ユーザまでの異なる距離とマルチメディア情報との間のマッピング関係を含み、前記第1の環境特性情報、および環境特性情報とマルチメディア情報との間の事前に設定された第1のマッピング関係に従って、前記第1の環境特性情報に対応する第1のメディア情報を決定する前記ステップの前に、前記方法は、
前記端末から前記ユーザまでの第1の距離が事前に設定された閾値未満であると判定するステップ、
をさらに含み、
前記第1の環境特性情報に対応する前記第1のマルチメディア情報をユーザに提示する前記ステップは、
表示画面回路および／またはスピーカ回路に、前記第1のマルチメディア情報を前記ユーザに提示するよう命令するステップ、
を特に含む、請求項1に記載の方法。
【請求項１０】
画面オフ状態で端末の現在の第1の環境特性情報を取得するように構成された、収集モジュールと、
前記端末のものであり、前記収集モジュールによって前記画面オフ状態で取得された前記現在の第1の環境特性情報、前記第1の環境特性情報、および環境特性情報とマルチメディア情報との間の事前に設定された第1のマッピング関係に従って、前記第1の環境特性情報に対応する第1のマルチメディア情報を決定するように構成された、処理モジュールと、
ユーザに、前記処理モジュールによって決定された、前記第1の環境特性情報に対応している前記第1のマルチメディア情報を提示するように構成された、提示モジュールと、
を含む、端末。
【請求項１１】
前記提示モジュールは、表示画面回路であり、前記処理モジュールは、前記第1の環境特性情報、および環境特性情報とマルチメディア情報との間の前記事前に設定された第1のマッピング関係に従って、前記第1の環境特性情報に対応する前記第1のメディア情報を決定する前に、前記第1の環境特性情報は、前記端末によって事前に設定されたウェイクアップ命令セット内の第2の環境特性情報と一致すると判定するようにさらに構成されており、前記ウェイクアップ命令セットは、少なくとも1つの第2の環境特性情報を含み、前記第2の環境特性情報は、前記端末の前記表示画面回路をトリガして作動させることができる情報であり、
前記処理モジュールは、前記第1の環境特性情報、および環境特性情報とマルチメディア情報との間の前記事前に設定された第1のマッピング関係に従って、前記第1の環境特性情報に対応する前記第1のマルチメディア情報を決定した後で、前記表示画面回路に、表示画面を用いて、前記第1の環境特性情報に対応する前記第1のマルチメディア情報を前記ユーザに提示するよう命令する、ように特に構成されている、請求項10に記載の端末。
【請求項１２】
前記提示モジュールはスピーカ回路であり、前記処理モジュールは、前記スピーカ回路に、スピーカを用いて、前記ユーザのために前記第1の環境特性情報に対応する前記第1のマルチメディア情報を再生するよう命令するように特に構成されている、請求項10に記載の端末。
【請求項１３】
前記第1の環境特性情報は、前記端末が位置している環境の音声情報を含み、前記第1のマッピング関係は、異なる音声情報とマルチメディア情報との間のマッピング関係を含む、請求項10から12のいずれか一項に記載の端末。
【請求項１４】
前記第1の環境特性情報は、前記端末が位置している環境の温度情報を含み、前記第1のマッピング関係は、異なる温度情報とマルチメディア情報との間のマッピング関係を含む、請求項10から12のいずれか一項に記載の端末。
【請求項１５】
前記第1の環境特性情報は、前記端末が位置している環境の光強度を含み、前記第1のマッピング関係は、異なる光強度とマルチメディア情報との間のマッピング関係を含む、請求項10から12のいずれか一項に記載の端末。
【請求項１６】
前記第1の環境特性情報は、前記端末の回転角速度であり、前記第1のマッピング関係は、異なる回転角速度とマルチメディア情報との間のマッピング関係を含む、請求項10から12のいずれか一項に記載の端末。
【請求項１７】
前記第1の環境特性情報は、前記端末の移動速度または移動加速度であり、前記第1のマッピング関係は、異なる速度とマルチメディア情報との間のマッピング関係または異なる加速度とマルチメディア情報との間のマッピング関係を含む、請求項10から12のいずれか一項に記載の端末。
【請求項１８】
前記提示モジュールは、表示画面回路および／またはスピーカ回路であり、前記第1の環境特性情報は、前記端末から前記ユーザまでの距離を含み、前記第1のマッピング関係は、前記端末から前記ユーザまでの異なる距離とマルチメディア情報との間のマッピング関係を含み、前記処理モジュールは、前記第1の環境特性情報、および環境特性情報とマルチメディア情報との間の前記事前に設定された第1のマッピング関係に従って、前記第1の環境特性情報に対応する前記第1のメディア情報を決定する前に、前記端末から前記ユーザまでの第1の距離が事前に設定された閾値未満であると判定する、ようにさらに構成されており、
前記処理モジュールは、前記表示画面回路および／または前記スピーカ回路に、前記第1のマルチメディア情報を前記ユーザに提示するよう命令するようにさらに構成されている、請求項10に記載の端末。
【請求項１９】
プログラムの記録されたコンピュータ可読記憶媒体であって、前記プログラムは、コンピュータに請求項1から9のいずれか一項に記載の方法を実行させる、コンピュータ可読記憶媒体。
【国際調査報告】
2018504707.tif 000010
2018504707.tif 000011
2018504707.tif 000012
2018504707.tif 000013